(57)【要約】【課題】雨天でも外部でそのまま使用でき電飾画像の交換が簡単であり且つ軽量で取り扱いの簡便な全天候型電飾パネル装置を提供する。【解決手段】全天候型電飾パネル装置１は表示板ユニット２と中箱３と外箱４から成る。表示板ユニット２は透明板状部材の表示部５と透明フィルム８との間のスペーサ７によって形成された間隙に例えば料理等の画像を印刷した普通紙を挿入する。中箱３は内部に照明灯と反射板を供え前面に骨白アクリル板１２を備えている。表示板ユニット２を中箱３の骨白アクリル板１２の上に重ねてビス通し孔９及びビス捩じ込み穴１４にて表示板ユニット２と中箱３を合体固定し、これを外箱４の下部に形成されている挿入口２６から外箱４に挿入する。外箱４は挿入口２６以外の部分は封止剤やオイルペイント又はラッカを塗布されて外部から特に雨水から完全に封止されている。外箱４の挿入口２６を下に向けて電飾パネル立て等に取り付け、路上に置いて宣伝に使用する。【選択図】図１
2006030305.tif 000002
【特許請求の範囲】
【請求項１】
表示板ユニットと、
該表示板ユニットを光拡散面に重ね合わせられて固定される中箱と、
該中箱と前記表示板ユニットが挿入される外箱と、
から成ることを特徴とする全天候型電飾パネル装置。
【請求項２】
前記表示ユニットは、
透明板部材から成る表示部と、
該表示部と一体に形成され該表示部の下部から裏側方向に直角に突設された位置決め固定部と、
前記表示部の表側の下部縁部及び両側縁部に沿って上向きのコの字型に固設されたスペーサと、
該スペーサに対し下部縁部及び両側縁部を固着された透明フィルム部材と、
を有することを特徴とする請求項１記載の全天候型電飾パネル装置。
【請求項３】
前記表示部と前記透明フィルム部材との間の前記スペーサにより形成される間隙に、任意の文字、写真又は絵画等が片面に印刷または手書きされた通常の薄地用紙又は透明又は半透明のフィルムシートが挿入されることを特徴とする請求項２記載の全天候型電飾パネル装置。
【請求項４】
前記中箱は、少なくとも
枡形のハウジングと、
該ハウジングの背面に対向する前面開口部の全面を覆って配置され前記光拡散面を形成する骨白板と、
前記ハウジングの前記背面と前記骨白板との間に配置された複数の冷陰極管蛍光灯と、
該冷陰極管蛍光灯の少なくとも横方向及び横方向よりも後方に放射される光を前方に反射すべく前記ハウジングの前記背面及び四方の側面に沿って配置された反射板と、
を有することを特徴とする請求項１記載の全天候型電飾パネル装置。
【請求項５】
前記中箱の前記枡形のハウジングは、木製であることを特徴とする請求項４記載の全天候型電飾パネル装置。
【請求項６】
前記外箱は、
背面板部と、
該背面板部を固定して保持し前記外箱の上部及び両側の三側面を形成すると共に前記外箱の前面に額縁部を形成する枠部材と、
該枠部材の前記額縁部に嵌め込まれた透明板部材と、
前記背面板部と前記枠部材との固定係合部及び前記透明板部材と前記額縁部との固定係合部に固着した防水性の封止剤と、
を有することを特徴とする請求項１記載の全天候型電飾パネル装置。
【請求項７】
前記外箱の枠部材は、木製であることを特徴とする請求項６記載の全天候型電飾パネル装置。
【発明の詳細な説明】
【技術分野】
【０００１】
本発明は、雨天でも外部でそのまま使用でき、電飾画像の交換が簡単であり、且つ取り扱いの簡便な全天候型電飾パネル装置に関する。
【背景技術】
【０００２】
従来、宣伝用の電飾パネル装置が知られている。従来は宣伝用の電飾パネル装置といえば専ら静的な画像を照明効果によって目立つように装飾するものであったが、近年では、大型液晶装置又はプラズマデスプレイとブロードバンド通信を利用した電飾パネル形態の動画電飾パネル装置などを使用している場合もある。しかし、これは極めて高価な表示装置と大規模な通信施設と中継施設が必要なものあって、大型で長期の宣伝維持費を必要とし、中小企業で利用できる宣伝装置ではない。また、これらの壁や柱などに一旦作り付けた動画電飾パネル装置は、単体で移動させたりできるものではなく軽便さに欠けるという問題を有している。
【０００３】
したがって、旧来からの静的な画像を表示し単体で移動できる軽便さを有する電飾パネル装置、例えばホテルなどのカウンター近傍で顧客の出入りする玄関口方向に向けて配置され内部施設の写真等を表示した内部宣伝用の電飾パネル装置、風景、動物、静物等の写真や絵画を嵌め込んて壁掛け又は柱掛けして用いられる雰囲気作り用の装飾用電飾パネル装置、レストランや通常の飲食店の入口に、スタンド仕立てで配置され主たる料理のカラー写真を表示したスタンド型電飾パネル装置等には、いまだに広い分野にわたって多くの需要がある。
【０００４】
これらの電飾パネル装置の装飾面（画像表示面）は、透明又は半透明の特殊なフィルム例えばＯＨＰ（オーハ゛ーヘット゛フ゜ロシ゛ェクター）などにも使用可能なフィルムに所望の宣伝用画像を印刷したものを乳白色の光拡散性板部材の表面に貼り付けるか又は無地の乳白色の光拡散性板部材の表面に直接シルク印刷で宣伝用の所望の文字、写真又は絵画等から成る画像を印刷したものを用い、これらの表面を保護用のガラス又は透明硬質樹脂等から成る板状部材で覆って構成されている。
【０００５】
装飾面の裏側つまり電飾パネル装置の内部には、通常、複数本の蛍光灯が配設され、この蛍光灯により光拡散性板部材の裏面から照明を当てて、上記のように印刷されている宣伝用画像を外部から明るく見えるようにしている。
【０００６】
ところで、これらの静的な画像を表示する電飾パネル装置は、装飾面を形成する画像が、専用の特殊フィルムに印刷するか、あるいは光拡散性板部材に直接シルク印刷されて形成されるものであり、それ専用の製作技術を要するから、本体装置の費用のみに限らず、装飾面に用いる画像の形成にも意外に費用を要する。したがって、小型軽便な構成とはいっても中小企業の店頭宣伝用の装置としてはかなり高価である。
【０００７】
また、上述のように装飾面の画像の形成には専用の製作技術を要するから、装飾面の画像を交換しようとするときは、その電飾パネル装置の製作工場に依頼しなければならない。したがって、手数と時間がかかって面倒である。
【０００８】
また、静的画像の電飾パネルは、単体で移動できる軽便さがあるとはいっても、蛍光灯の陰（照明斑）が装飾面に現れないように、蛍光灯と光拡散性板部材との間は最低でも１５０ｍｍ程度の間隔を空けるように構成しなければならなかったが、本件発明の出願人により、僅か５５ｍｍ程度の厚さの薄型電飾パネル装置が出願され、実用化されている。
【０００９】
この薄型電飾パネル装置は、例えば木製の長方形の大きな枡形をした電気絶縁性のハウジングと、このハウジングの背面に対向する前面開口部の全面を覆って配置された光拡散板と、この光拡散板の外部全面に重ねて配置された透明板を備えている。
【００１０】
上記の光拡散板は、例えば骨白アクリル板等で構成され、光透過度の異なる種々の乳白色板の中では通常の光を殆ど透過させない特質を備えている。また、ハウジング内には複数本の冷陰極管蛍光灯が配置されている。冷陰極管蛍光灯は、通常の蛍光灯の照明光とは異なり、その名称が示すごとく発熱量が非常に少ないが、極めて輝度が強く肉眼では直視できない光を照射する。この冷陰極管蛍光灯と、縦の断面及び横の断面がともに台形になるように形成された特別構成の反射板とにより薄型化が実現されている。（例えば、特許文献１参照。）
ところで、電飾パネル装置のハウジングとしてスチールを用いるとスチールは水で容易に錆を発生する。またアルミニュームを用いるとアルミニュームは溶接が出来ないため、かしめ工法で製作されるが、これでは水が内部に容易に侵入する。水が浸入すると、画像が印刷された特殊フィルムにしても、光拡散性板部材に直接シルク印刷された画像にしても、一般に長期間の水には弱い。また、木製は軽くて取り扱いが容易であり樹脂性の封止剤で密封できるから水に強い構成を容易に実現できるが、封止剤で密封すると画像の交換が容易には出来なくなって不便であるから封止はできない。
【００１１】
したがって、屋外に出して展示する電飾パネル装置は、すべからく雨天には透明のビニールシートなどによって覆い、雨水の浸入を防ぐようにしていた。
【特許文献１】特開２００４−０７８０６１号公報（［要約］、図１）
【発明の開示】
【発明が解決しようとする課題】
【００１２】
しかしながら、雨天の際は止むを得ないとしても、雨が上がれば水滴の付着した且つ不規則に波の打ったビニールシートの覆いは、見た目に邪魔であり宣伝には却って逆効果になり兼ねない。したがって、雨が上がれば即座に電飾パネル装置からビニールシートの覆いを取り除かなくてはならない。そして、また、雨が降ってくると再び電飾パネル装置をビニールシートで覆わなくてはならない。
【００１３】
したがって、店主又は従業員の中でも責任者は、雨模様の日には、電飾パネル装置を展示してある屋外の状況に絶えず気を配り、雨が降ればビニールシートで覆い、雨が上がればビニールシートを取り外すということを繰り返すことになり、極めて面倒であるという問題を有していた。
【００１４】
本発明の課題は、上記従来の実情に鑑み、雨天でも外部でそのまま使用でき、電飾画像の交換が簡単であり、且つ軽量で取り扱いの簡便な全天候型電飾パネル装置を提供することである。
【課題を解決するための手段】
【００１５】
以下に、本発明に係わる全天候型電飾パネル装置の構成を述べる。
本発明の全天候型電飾パネル装置は、表示板ユニットと、該表示板ユニットを光拡散面に重ね合わせられて固定される中箱と、該中箱と上記表示板ユニットが挿入される外箱と、から構成される。
【００１６】
上記表示ユニットは、例えば、透明板部材から成る表示部と、該表示部と一体に形成され該表示部の下部から裏側方向に直角に突設された位置決め固定部と、上記表示部の表側の下部縁部及び両側縁部に沿って上向きのコの字型に固設されたスペーサと、該スペーサに対し下部縁部及び両側縁部を固着された透明フィルム部材と、を有して構成される。
【００１７】
そして、例えば、上記表示部と上記透明フィルム部材との間の上記スペーサにより形成される間隙に、任意の文字、写真又は絵画等が片面に印刷または手書きされた通常の薄地用紙又は透明又は半透明のフィルムシートが挿入される。
【００１８】
また、上記中箱は、例えば、少なくとも、枡形のハウジングと、該ハウジングの背面に対向する前面開口部の全面を覆って配置され上記光拡散面を形成する骨白アクリル板と、上記ハウジングの上記底面と上記骨白アクリル板との間に配置された複数の冷陰極管蛍光灯と、該冷陰極管蛍光灯の少なくとも横方向及び横方向よりも後方に放射される光を前方に反射すべく上記ハウジングの上記底面及び四方の側面に沿って配置された反射板と、を有して構成される。上記中箱の上記枡形のハウジングは、例えば、木製であることが好ましい。
【００１９】
また、上記外箱は、例えば、背面板部と、  該背面板部を固定して保持し上記外箱の上部及び両側の三側面を形成すると共に上記外箱の前面に額縁部を形成する枠部材と、該枠部材の上記額縁部に嵌め込まれた透明板部材と、上記背面板部と上記枠部材との固定係合部及び上記透明板部材と上記額縁部との固定係合部に固着した防水性の封止剤と、を有して構成される。上記外箱の枠部材は、例えば、木製であることが好ましい。
【００２０】
これにより、表示ユニットの表示部と透明シートとの間に任意の片面仕上げの画像を入れ、表示ユニットを中箱の骨白アクリル板の上に重ねて固定し、画像の向きが上になるように表示ユニットと中箱を、挿入口を下にした外箱に入れることで、雨に直接当てられても内部に雨水が侵入しない全天候型電飾パネル装置が実現する。
【発明の効果】
【００２１】
本発明によれば、雨天でも外部でそのまま使用でき、電飾画像の交換が簡単であり、且つ軽量で取り扱いの簡便な全天候型電飾パネル装置を提供することが可能となる。
【発明を実施するための最良の形態】
【００２２】
以下、本発明の実施の形態を図面を参照しながら説明する。
【実施例１】
【００２３】
図１(a),(b),(c) は、本発明の全天候型電飾パネル装置１の分解斜視図であり、図１(a) は表示板ユニット２、図１(b) は表示板ユニット２が重ね合わせられて固定される中箱３、図１(c) は表示板ユニット２と中箱３が挿入される外箱４を、それぞれ示している。
【００２４】
図１(a) に示す表示板ユニット２は、樹脂製の透明な板から成る表示部５と、この表示部５と一体に形成され、表示部５の下部（図の斜め左下端部）から裏側方向に直角に突設された位置決め固定部６と、表示部５の表側の下部縁部及び両側縁部に沿って上向きのコの字型に固設されたスペーサ７と、このスペーサ７に、下部縁部及び両側縁部を固着された透明フィルム８と、で構成される。
【００２５】
上記の位置決め固定部６には、この表示板ユニット２を中箱３に固定するための２個のビス通し孔９が形成されている。また、上記の表示部５及び透明フィルム８は、共に例えばアクリル樹脂の透明な板状部材で構成される。
【００２６】
図２(a),(b),(c) は、参考のため上記表示板ユニット２の各部の寸法を示す図であり、図２(a) は正面図、図２(b) は上面図、図２(c) は図２(a) のＡ−Ａ´断面拡大矢視図である。尚、ここに示す寸法は、およそＢ３判の大きさの展示画像を収容できる大きさを示している。
【００２７】
図２(c) に示すように、厚さ２ｍｍの表示部５と厚さ１ｍｍの透明フィルム８との間には、厚さ１ｍｍのスペーサ７による１ｍｍの間隙１０が形成されている。この間隙１０に任意の文字、写真又は絵画等が片面に印刷または手書きされた通常の薄地用紙又は透明又は半透明のフィルムシートが、着脱自在に挿入される。
【００２８】
他方、図１(b) に示す中箱３は、外観的には、枡形のハウジング１１と、このハウジング１１の背面部に対向する前面開口部の全面を覆って配置されて光拡散面を形成する骨白アクリル板１２を備えている。骨白アクリル板１２は、枡形のハウジング１１の前面開口部の四辺の縁に沿って内側に形成された段差部１３に嵌め込まれるようにして配置されている。
【００２９】
ハウジング１１の下部側面には、表示板ユニット２の位置決め固定部６を位置決めして固定するための２個のビス捩じ込み穴１４が形成されている。また、左側のビス捩じ込み穴１４の近傍に、配線コード孔１５が形成されている。
【００３０】
図３(a),(b),(c) は、参考のため上記中箱３の各部の寸法を示す図であり、図３(a) は正面図、図３(b) は下面図、図３(c) は図３(a) のＢ−Ｂ´断面拡大矢視図である。尚、ここに示す寸法は、図２(a),(b),(c) に示した寸法からなる表示ユニット２に対応する大きさの寸法構成である。また、図３(a) の正面図は、本来は拡散光を通しはするが不透明な骨白アクリル板１２を通して内部を一部透視的に示している。
【００３１】
ハウジング１１は、図３(c) に示すように、四方の側面を形成する厚板部材１１−１と背面板１１−２とで形成されている。背面板１１−２は厚板部材１１−１の背面側の縁に沿って内側に形成された段差部に嵌め込まれ、ビス１６によって厚板部材１１−１にねじ止めされている。これら厚板部材１１−１及び背面板１１−２は、軽量化のため例えば適宜の木材を用いて構成される。
【００３２】
ハウジング１１の内部には、図３(a) に示すように、複数（本例では２本）の冷陰極管蛍光灯１７が配置され、これら冷陰極管蛍光灯１７とハウジング１１の内壁（厚板部材１１−１の内側面と背面板１１−２の内側面）との間には、図３(c) に示すように、例えばアルミニュームの薄板等から成る反射板１８が配設されている。
【００３３】
図４(a),(b) は、ハウジング１１における冷陰極管蛍光灯１７と反射板１８の配置関係を示す図である。尚、図４(a),(b) にはハウジング１１の図示は省略している。図４(a) に示すように、反射板１８は、冷陰極管蛍光灯１７と図３(c) に示した背面板１１−２との間に配設されて平坦面を形成する背後反射板１８−１と、冷陰極管蛍光灯１７と図３(a),(b),(c) に示した厚板部材１１−１との間に配設されて傾斜面を形成する側部反射板１８−２とで構成されている。
【００３４】
これにより、冷陰極管蛍光灯１７の少なくとも横方向及び横方向よりも後方に放射される光が、反射板１８（背後反射板１８−１、側部反射板１８−２）によって、前方の骨白アクリル板１２に向けて反射される。
【００３５】
図４(b) は、より大型の全天候型電飾パネル装置に使用される中箱内の冷陰極管蛍光灯１７の配置を示している。このように、大型の全天候型電飾パネル装置の場合は、４本の冷陰極管蛍光灯１７を４段水平に配置するとよい。
【００３６】
次に、図１(c) に示す外箱４は、背面板部２１と、この背面板部２１を固定して保持し、外箱４の上部及び両側の三側面を形成すると共に外箱４の前面に額縁部２２を形成する枠部材２３と、この枠部材２３の額縁部２２に嵌め込まれた透明板部材２４と、図では定かに見えないが、背面板部２１と枠部材２３との固定係合部、及び透明板部材２４と額縁部２２との固定係合部に固着した防水性の封止剤と、を有して構成される。上記背面板部２１と枠部材２３は、これも軽量化と更には見た目の重厚さを持たせるために、木製とするのが好ましい。そして、防水性を有するオイルペイントで塗装する。また、木目が見えるように透明度のある防水性のラッカで塗装してもよい。
【００３７】
図５(a) 〜(e) は、参考のため上記外箱４の各部の寸法を示す図であり、図５(a) は正面図、図５(b) は上面図、図５(c) は側面図、図５(d) は図５(a) のＣ−Ｃ´断面拡大矢視図、図５(e) は図５(a) のＤ−Ｄ´断面拡大矢視図である。
【００３８】
尚、ここに示す寸法は、図２(a),(b),(c) に示した寸法からなる表示ユニット２と、この表示ユニット２と合体した図３(a),(b),(c) に示した寸法からなる中箱３に対応する大きさの寸法構成である。また、図５(d) には、内部に挿入される中箱３の寸法と、図１(c) では定かに示していなかった封止剤２５とを示している。また、図５(e) には、表示ユニット２と中箱３が合体した状態で、外箱４の挿入口２６から表示ユニット２の画像面を上にし、その画像の上部を先にして、図１(c) の矢印ａのに示すように挿入されている状態を示している。
【００３９】
図６は、図５(e) に示すように表示ユニット２と中箱３が合体して外箱４に挿入されて全天候型電飾パネル装置１の組立てが完了した状態で、図５(a) の矢印ｂで示すように、外箱４の下方から見た図である。図６には図１乃至図５で示した同一構成部分には図１乃至図５で示したち同一の番号を付与して示している。図６に示すように、外部への開口部は外箱４の下部の挿入口２６のみであり、その他の部分は封止剤２５はオイルペイント又は透明性防水ラッカの塗布により全て外部からは封止されている。
【００４０】
尚、外箱４を持ち上げたとき内部の合体した表示ユニット２と中箱３が外箱４から脱落しないように、特には図示しないが、枠部材２３の両側下部面に、それぞれ回動爪を設けることが好ましい。そして、パネル組立て時（合体した表示ユニット２と中箱３を外箱４に挿入するとき）には、回動爪を外側に開き、組立て後に回動爪を内側に閉じるようにするとよい。
【００４１】
この全天候型電飾パネル装置１の使用に当たっては、例えばスタンド型として使用する場合は、外箱４を適宜のスタンドと一体型に形成して用いるとよい。その場合も外箱４の下部（挿入口２６）から表示板ユニット２の着脱を容易に行うことができるので電飾画像の交換が簡単であり、取り扱いが容易なスタンド型の全天候型電飾パネル装置となる。
【００４２】
また、例えば雨ざらしとなる外壁での壁掛け型として用いる場合は、外箱４を例えば適宜の金属製フレームに一体に取り付け、その金属製フレームにより外壁に取り付けるとよい。その場合も外箱４の下部（挿入口２６）から表示板ユニット２の着脱を容易に行うことができるので電飾画像の交換が簡単であり、取扱が容易な壁掛け型の全天候型電飾パネル装置となる。
【図面の簡単な説明】
【００４３】
【図１】(a),(b),(c) は本発明の全天候型電飾パネル装置の分解斜視図である。
【図２】(a),(b),(c) は参考のため表示板ユニットの各部の寸法を示す図である。
【図３】(a),(b),(c) は参考のため中箱の各部の寸法を示す図である。
【図４】(a),(b) はハウジングにおける冷陰極管蛍光灯と反射板の配置関係を示す図である。
【図５】(a) 〜(e) は参考のため外箱の各部の寸法を示す図である。
【図６】表示ユニットと中箱が合体して外箱に挿入されて全天候型電飾パネル装置の組立てが完了した状態を外箱の下方から見た図である。
【符号の説明】
【００４４】
１      全天候型電飾パネル装置
２      表示板ユニット
３      中箱
４      外箱
５      表示部
６      位置決め固定部
７      スペーサ
８      透明フィルム
９      ビス通し孔
１０    間隙
１１    ハウジング
１１−１  厚板部材
１１−２  背面板
１２    骨白アクリル板
１３    段差部
１４    ビス捩じ込み穴
１５    配線コード孔
１６    ビス
１７    冷陰極管蛍光灯
１８    反射板
１８−１  背後反射板
１８−２  側部反射板
２１    背面板部
２２    額縁部
２３    枠部材
２４    透明板部材
２５    封止剤
２６    挿入口
【図１】
2006030305.tif 000003
【図２】
2006030305.tif 000004
【図３】
2006030305.tif 000005
【図４】
2006030305.tif 000006
【図５】
2006030305.tif 000007
【図６】
2006030305.tif 000008